(57)【要約】【課題】  簡単な構造で確実に通気路を遮断することができる通気路遮断装置の提供。【解決手段】  通気用の管４に嵌合して装着できる短管５に、固定シャッター板６と２枚の可動シャッター板７，８を設ける。これらは中心角が約１２０°の扇形であり、固定シャッター板６に可動シャッター板７，８を重ねることで、短管５の断面（通気路断面）を開放する。２枚の可動シャッター板間には閉じばね９を配置して常時閉じ方向に付勢しておく。一方、通常の状態では閉じばね９に抗して２枚の可動シャッター板７，８を開き位置にして、その位置を温度ヒューズ１９で維持しておく。【選択図】  図２
2005090896.tif 000002
【特許請求の範囲】
【請求項１】
短管と短管の管路断面を遮断する方向に面を揃えた固定シャッター板と可動シャッター板を備え、固定シャッター板は短管に固定され、可動シャッター板は、短管の中心軸線上に回動軸を有して、前記固定シャッター板の面に沿って回動することによって管路を遮断する位置と開放する位置とに移動可能であり、閉じばねによって常時閉じ位置へ付勢されていると共に、閉じばねに抗して管路を開放した位置とされ、その位置が温度ヒューズにより維持されていることを特徴とした通気路遮断装置。
【請求項２】
短管のシャッター側端縁に内側へ張り出す幅狭のフランジを設け、可動シャッター板は周縁部がこのフランジの裏面側に重合して回動する配置としてあることを特徴とした請求項１に記載の通気路遮断装置。
【請求項３】
固定シャッター板に可動シャッター板の回動軸を受ける軸受け部が設けられ、固定シャッター板と可動シャッター板は、重合させたときに貫通状態となる止め孔をそれぞれ備えており、貫通した止め孔に低温度で溶融する金属又は合成樹脂を充填して温度ヒューズとしてあることを特徴とした請求項１または２に記載の通気路遮断装置。
【請求項４】
固定シャッター板と可動シャッター板は、中心角約１２０°ずつの扇形で、１枚の固定シャッター板に対して２枚の可動シャッター板が重合する構造であることを特徴とした請求項１〜３の何れか１つに記載の通気路遮断装置。
【請求項５】
２枚の可動シャッター板は閉じ方向側の辺に短管の軸線方向へ平行な面となる折り返し部を有し、閉じばねは、ばね用線材をループに巻回させてループ部と交差した両側の脚部とからなるループばねであり、ループ部を中央に、脚部を２枚の可動シャッターのそれぞれ折り返し部に係合させて取り付けてあることを特徴とした請求項４に記載の通気路遮断装置。
【発明の詳細な説明】
【技術分野】
【０００１】
この発明は、管を利用した通気路を遮断する装置に関する。
【背景技術】
【０００２】
管を利用した通気路を遮断する装置としては、管の内部に直径方向の軸を設けてこの軸に回動可能にダンパー板を取り付けたものが多い（特許文献１〜３）。ダンパー板は２枚の半円形をしたダンパー板が前記の軸を中心に蝶形に折れ曲がって通気路を開くものと、１枚の円盤が前記の軸を中心に回動して通気路を開くものとがある。いずれも、通気路を開放しているときに通気路を狭めてしまう面積が少ない利点があるが、通気路を閉じるとき、閉じ方向ヘ移動している終期にダンパー板の外周面と管内面との接触抵抗が大きくなってきて、完全な閉じ状態とするのが難しい。一方、閉じ方向への移動をスムーズにするためにダンパー板の外周面と管内面とに間隙を設けるとその部分から熱気や煙が侵入する。
【０００３】
【特許文献１】特開２００１−１４１２９７号公報
【特許文献２】特開２００１−１１６３４２号公報
【特許文献３】特開平１０−１２７８０２号公報
【発明の開示】
【発明が解決しようとする課題】
【０００４】
この発明は、管を利用した通気路を簡単な構造でほぼ確実に遮断できる通気路遮断装置の提供を課題とする。
【課題を解決するための手段】
【０００５】
通気路に嵌合させる短管と、管路を遮断する可動シャッター板を設ける。可動シャッター板は、短管の中心軸上にその軸方向に設けた回動軸を中心に回動させる。
【発明の効果】
【０００６】
可動シャッター板は短管の中心軸を中心に回動するので、短管内面とのこじりが少なく、閉じ作動が確実で、閉じ位置で隙間が生じにくい。
【発明を実施するための最良の形態】
【０００７】
管に嵌合して装着できる短管に、固定シャッター板と２枚の可動シャッター板を設ける。それぞれは中心角が約１２０°の扇形であり、固定シャッター板に２枚の可動シャッター板を重ねることで、短管の断面（通気路断面）の約２／３を開放することができる。固定シャッター板は短管の一方の端縁に固定され、可動シャッター板の回動軸を軸支する軸受け部を備える。２枚の可動シャッター板間には閉じばねを配置して常時閉じ方向に付勢しておく。一方、通常の状態では閉じばねに抗して２枚の可動シャッター板を開き位置にして、その位置を温度ヒューズで維持しておく。
【０００８】
短管と固定シャッター板及び可動シャッター板は、いずれも、鋼板やステンレス板などの成形品である。
固定シャッター板は短管に固定して設けるが、短管をプレス成形するときに一体成形しても良く、別途に成形されたものを固定してもよい。
固定シャッター板は管路断面を横断することとなるので、通気路をこの部分で狭くする配置となるが、一部であり、管路断面の他の部分は開放されている。
【０００９】
可動シャッター板は、通常、固定シャッター板に軸受け部を形成し、これに軸支させた回動軸を中心に回動可能とする。すなわち、可動シャッター板は、固定シャッター板と重合した位置が管路を開放した位置であり、逆に重合状態がほぼ解消した位置が閉じ位置であり、固定シャッター板の面に沿って移動する。
【００１０】
このとき、短管の可動シャッター板を取り付ける側の端縁を内側へ折り曲げるように成形して幅狭のフランジ（内フランジ）を形成し、可動シャッター板の周縁部が内フランジの裏面側と重合する配置にすると、可動シャッター板が閉じた位置で、可動シャッター板の周縁部と短管の内壁面が重合し、これらの隙間から熱気や煙が侵入するのを阻止できる。一方、この構造によれば、可動シャッター板の周縁部と短管の内壁面とに回動のために必要なクリアランスを十分にとっても熱気や煙の侵入を阻止できるので、可動シャッター板の回動を軽快でスムーズなものとできる。
【００１１】
また、内フランジは、可動シャッター板が移動するときのガイドともなり、可動シャッター板の移動をスムーズにする。
可動シャッター板は、閉じばねによって常時閉じ位置へ付勢しておく。しかし、製品としては、可動シャッター板を閉じばねに抗して管路を開放した位置とし、この位置を低温度溶融金属の温度ヒューズにより維持する。温度ヒューズは、８０〜１５０°Ｃ程度で溶融する合金又は合成樹脂を利用する。
閉じばねは、ばね用線材をループに巻回させてループ部と交差した両側の脚部とからなる（ループばねと称する）。具体的にはループ部を中央にして脚部を２枚の可動シャッターに係合させて取り付ける。
【００１２】
温度ヒューズは、固定シャッター板と可動シャッター板に、回動軸を中心に管路を開く方向へ回動して重合させたときに、貫通状態となる止孔をそれぞれに設けておき、貫通状態となった止め孔に低温度溶融金属又は合成樹脂を充填して形成する。充填の態様は流し込みでもよく、カシメによっても良い。
【００１３】
固定シャッター板と可動シャッター板を中心角約１２０°ずつの扇形にすると、固定シャッター板によって管路断面が狭くなるのを緩和することができる。また、２枚の可動シャッター板を両側から付き合わせるように回動させて管路を遮断できるので、閉じばねを取付けやすく、作動も確実となる。更に、固定シャッター板を上方として取り付けると、仮に、閉じばねが外れてしまっているような場合であっても、温度ヒューズが溶断すると重力で閉じ方向へ移動するので火熱、煙が屋内へ侵入する危険に対する安全度が高くなる。
【００１４】
前記２枚の可動シャッター板には、閉じ方向へ移動するとき対向する辺に短管の軸方向と平行な面となる折返し部を形成することがある。折返し部が手掛け部になって２枚の可動シャッター板を閉じばねに抗して開き位置とし、その位置で温度ヒューズを取り付ける作業を行いやすい。また、この折返し部に閉じばねの脚部を係合することで２枚のシャッター板へ閉じばねを確実に取り付けることができる。
【実施例１】
【００１５】
図１は、通気路遮断装置１を換気フード２に利用した例である。通気路遮断装置１は、換気フード２の屋内側面に取り付けられ、木造住宅の壁３を貫通して取り付けられた通気用の管４に外側から嵌合されている。管４は、木造住宅の屋根裏空間と屋外を換気している。
通気路遮断装置１（図２〜５）は、短管５と固定シャッター板６、可動シャッター板７，８（図４）及び閉じばね９を備えている。
【００１６】
短管５は、薄い鋼板のプレス成形品であり、前記の管４の内径に合わせた外径を有し、屋外側の端縁に外側へ広がる外フランジ１０を備え、屋内側の端縁に内側へ折り曲げた幅狭の内フランジ１１を有する（図３）。また、この実施例では、固定シャッター板６が短管５と一体に成形されている。固定シャッター板６は２枚の可動シャッター板７，８と共に中心角が１２０°の扇形である。固定シャッター板６は扇形の中心に軸受け部１２を有している。軸受け部１２は短管５の中心軸線ｐ上にある。
【００１７】
可動シャッター板７，８は、扇形の中心に軸部１３（１３ａ、１３ｂ  図５）を備えた薄鋼板の板であり、閉じる方向ヘ回動する側の辺に折返し部１４（１４ａ、１４ｂ  図３）を備えている。なお、固定シャッター板６、可動シャッター板７，８の同一個所にはこれらが重合したとき貫通状態となる止め孔１５（１５ａ、１５ｂ、１５ｃ）が形成されている。また、折返し部１４の外周側には前記の内フランジ１１の縁がはまり込む係合溝１６が形成してある（図５）。
閉じばね９は、ばね用の線材をループに屈曲して両側の脚部１７を交差させた形態である。
【００１８】
２枚の可動シャッター板７，８は、図６，７に示すように、短管５の内側で固定シャッター板６の裏面側に配置し、これらの軸部１３と固定シャッター板６の軸受け部１２を合わせ、この部分に軸１８をカシメることにより回動自在に取り付ける。可動シャッター板７，８は、この軸１８を中心として固定シャッター板６の面に沿って回動する。このとき、折返し部１４の外周側の係合溝１６が短管５の内フランジ１１と係合して移動するので、可動シャッター板７，８の移動にこじれが生じず、スムーズに回動する。
【００１９】
２枚の可動シャッター板７，８に閉じばね９の交差した脚部１７，１７をそれぞれの折返し部１４ａ，１４ｂに取り付け、可動シャッター板７，８が閉じ方向へ移動するように付勢する。閉じばね９は強力でかつ十分な戻り量を有するものとし、閉じ方向への移動が確実に達成されるようにする。なお、製品としての通気路遮断装置１は、３枚のシャッター板６，７，８が重合することによって貫通状態となった３個の止め孔に低温度溶融金属又は合成樹脂の温度ヒューズ１９を差し込んで両端をカシメ付け、２枚の可動シャッター板７，８を開き位置に維持する。この温度ヒューズ１９はこの実施例では１００°Ｃの設定とし、１２５°Ｃでは１分以内に溶断し、９０°Ｃでは５分間の持続が可能な設定としている。
【００２０】
短管５は、管４へ差し込んだときに抜け止めとなる弾性係止片２０（図６）を外周面に３個備え、また、屋内側端から一定の間隔を維持した位置に押し込み成形によるガイド突起２１（図７）を固定シャッター板６の周縁に沿って５個形成してある。ガイド突起２１は、屋内側が深くなる楔形の凹みであり、その屋内側の垂直面によって、重合状態にある可動シャッター板７，８の周縁部をガイドする。
【００２１】
したがって、今、図３のように、可動シャッター板７，８が開き位置とされ、その状態が温度ヒューズ１９で維持されているとき、近接して発生した火災の火熱が換気フード２、管４を通じて屋内に侵入する状態になると、設定した温度と時間で温度ヒューズ１９が溶断し、可動シャッター板７，８が閉じばね９の作用で閉じ方向に回動し、図４のように、通気路が遮断される。可動シャッター板７，８の回動は短管５の軸線を軸とした回動なのでスムーズですばやく、かつ、内フランジ１１を備えることで通気路を確実に遮断する。
【実施例２】
【００２２】
図８は、固定シャッター板２２と可動シャッター板２３を半円形として、可動シャッター板を１枚（図は重合状態をずらして表示している）にしている。他の構造は前記実施例１の場合と同様である。このように、可動シャッター板が１枚の場合でも適用できる。構造が簡単で、部品点数も少ない。ただし、固定シャッター板２２によって通気路が狭められる割合が大きくなる。また、可動シャッター板２３を閉じ位置へ確実に移動させるために閉じばねのループ部分を２回巻き、３回巻き程度にする必要がある。
【００２３】
実施例１，２では、素材を薄い金属鋼板にしているが、耐火性の高い剛性樹脂などを利用することもできる。閉じばねの形態は実施例のものに限らない。さらに、温度ヒューズの形態も実施例のものに限らず、１００°Ｃの設定において、１２５°Ｃでは１分以内に溶断し、９０°Ｃでは５分間の持続を可能として、可動シャッター板の拘束を解くものであればよい。
実施例として、木造住宅の換気フードの背面側に取り付ける例を示したが、この通気路遮断装置１は、管による通気路、排気路の遮断一般に使用することができる。
【図面の簡単な説明】
【００２４】
【図１】一部を断面で示す側面図
【図２】背面側から見た斜視図
【図３】背面側から見た斜視図（開き位置）
【図４】背面側から見た斜視図（閉じ位置）
【図５】分解して示す一部の斜視図
【図６】断面で示す斜視図
【図７】要部を拡大して示す断面図
【図８】他の実施例を示す背面からの正面図
【符号の説明】
【００２５】
１  通気路遮断装置
２  換気フード
３  壁
４  管
５  短管
６  固定シャッター板
７  可動シャッター板
８  可動シャッター板
９  閉じばね
１０  外フランジ
１１  内フランジ
１２  軸受け部
１３  軸部
１４  折返し部
１５  止め孔
１６  係合溝
１７  脚部
１８  軸
１９  温度ヒューズ
２０  係止片
２１  ガイド突起
２２  固定シャッター板
２３  可動シャッター板
【図１】
2005090896.tif 000003
【図２】
2005090896.tif 000004
【図３】
2005090896.tif 000005
【図４】
2005090896.tif 000006
【図５】
2005090896.tif 000007
【図６】
2005090896.tif 000008
【図７】
2005090896.tif 000009
【図８】
2005090896.tif 000010